(57)【要約】　　　（修正有）【課題】宛名書きが一回で何回も使える、ゴミを出さない、資源を大切にする、荷造りが簡単にできる、荷開きが簡単にできる再使用方式多回数使用のパッケージを提供する。【解決手段】パッケージの材質を特殊紙器やプラスチェクなどを使用し、再度の使用に十分耐えられる強度と構造のパッケージを作成する。荷造りは、再度の使用に十分耐えられる強度のバンドを使用し、容易に掛け外し出来る装置の備錠を設置しキーを付ける。このパッケージは多回数使用するので、宛名と専用番号の表記は表記後二度と消すことのできない、焼き印やこれに相当する特殊なインクなどで、箱蓋バンドなどに表記し、表記人の専用パッケージとし、絶対に他人のパッケージと混用されないようにする。【選択図】　図１
0003097353.tif 000002
【実用新案登録請求の範囲】
【請求項１】
焼き印など墨や消えないインクなどで、受取り人と送り人の宛名と専用番号を表記したパッケージの宛先を、書き換えずに容易に宛先を変更できる装置をし多回数使用出来るようにした宛先自由変更式多回数往復使用パケージ。
【請求項２】
パッケージの蓋などに伝票や説明書小物などが添えられる装置をし、バンド掛けだけで荷造り出来る簡易バンド荷造り装置をした、宛先自由変更式多回数往復使用パケージ。
【請求項３】
重ね置きできるパッケージ形態にし、蓋がパッケージの中に格納できる形とサイズにし、空パッケージを三個五個とまとめて回送できるようにした宛先自由変更式多回数往復使用パケージ。
【考案の詳細な説明】
【０００１】
【考案の属する技術分野】
本案は、郵便小包・宅急便などのパッケージに関するもので、受取り人と送り人の間を往復使用、多回数使用するための個人専用のパッケージに関するものです。
【０００２】
【従来の技術】
従来の送付用小包みの包装は、主にダンボール箱などを使用し送品の形大きさに合わせて紐テープなどで荷造りをし、その都度宛名を表記して送付しています。
受け取り人は、送品を出しその後の包装材は、ほとんど再び送付用に使われることなくゴミとなっております。再使用式多回数使用のパッケージはありません。
【０００３】
【考案が解決しようとする課題】
従来の技術で述べた、送付用小包みパッケージは、その都度宛名を表記しなくてはならないという、宛名書きの問題があります。
また一度使っただけでゴミにしてしまうという、使い捨てのパッケージは資源、ゴミ処理など大きな問題があります。
【０００４】
【考案が解決するための手段】
上記の問題点を解決するため、パッケージの材質を特殊紙器やプラスチェクなどを使用し、再度の使用に十分耐えられる強度と構造のパッケージを作成します。
荷造りは、再度の使用に十分耐えられる強度のバンドを使用し、容易に掛け外し出来る装置の備錠を設置しキーを付けます。
【０００５】
このパッケージは多回数使用しますので、宛名と専用番号の表記は表記後二度と消すことのできない、焼き印やこれに相当する特殊なインクなどで、箱蓋バンドなどに表記し、表記人の専用パッケージとし、絶対に他人のパッケージと混用されないようにして、誤使用の問題を解決し受け取り人の心配を払拭しています。
【０００６】
また、再使用方式多回数使用のパッケージてすから、宛名の表記は一パッケージに一回の特殊表記で、宛名人の専用パッケージとなります。したがって毎回宛名書をする従来のパッケージの宛名書きの手数と煩わしさを解消しています。
【０００７】
受け取り人が、パッケージを送り人に返送するときは、立場がかわり「送り人」となるわけですが、この変更はパッケージの蓋の装置により簡単にできます。送りたいときは、自分の「住所氏名」が書かれているところに「送り人」の表示が来るように「蓋」の位置を合わせてしめれば良いわけです。
【０００８】
送付物を出してしまった後の空のパッケージは、場所を取らない重ね置きができる形態になっています。また、空のパッケージだけを送りたいときは、三個五個とまとめて蓋も一緒に、ほぼ一個の大きさで回送できます。それは、蓋が折り畳み方式になっているからです。
箱の部分は重ね込み、その箱の中に蓋を折り畳んで入れます。これで一回に五個送れますから回送費が安くなり、回送費用の問題を解決しています。
【０００９】
【考案の実施の形態】
考案の実施の形態を図面により説明します。
図１，は角形の多回数パッケージの見取り図です。
（１）．は「蓋」の部分の見取り図です。
丸数字の▲１▼には「受け取り人」（お受け取り人様）の表示がしてあります。蓋の反対側の▲２▼の位置に「送り人」の表示がしてあります。宛先の変更は、蓋に表記してある「受け取り人」と「送り人」の表示を変えることにより行ないます。
「蓋」の向きを変え意とする宛名にセットすることで簡単にできます。
▲３▼は蓋の折り畳み線。▲４▼は「伝票」や内容表示、説明書、小型の添え物をセットして同送が出来るよう「蓋」の中央の部分に物入れを装置しています。
（２）．は「箱」の部分の見取り図です。
イ．は受取人の宛名（住所氏名・電話番号）が表記されています。反対側の対面のロ．の位置に「送り人」の宛名が表記してあります。ハ．は顧客番号で箱にも蓋にも表記し専用物であることを明確にしてあります。
（３）．は楕円・略円形にしたパッケージの一例の見取り図です。
図２，は空のパッケージを回送する場合の、パッケージの組み込み平面図と、荷造りバンド掛けの見取り図です。
（４）は、空パッケージ五個を一個に荷造りした場合の平面図です。
▲１▼空き箱の中に　▲２▼、▲３▼、▲４▼、▲５▼、四個の空き箱を入れます。つぎに蓋を折り畳んで箱▲２▼、▲３▼、▲４▼、▲５▼、の蓋イ．ロ．ハ．ニ．の四個を詰めた見取り図です。
（５）は蓋をしめて、バンド掛けをし鍵を掛けた見取り図です。
▲１▼荷造りバンドは十の字形に掛け鍵をかけ、バンドにも顧客番号を表記します。
【００１０】
【考案の効果】
本考案は上述のとおりであります。
【００１１】
宛名書きが一回で何回も使える。ゴミを出さない。資源を大切にする。荷造りが簡単にできる。荷開きが簡単にできる。
自分だけ（専用）のパッケージだから清潔感があり安心できる。再使用でき多回数使えるからパッケージのコストが安価にできる。
空のパッケージ回送費が、まとめて返送できるので送料を安くできる。などなど、現代社会が直面している大きな問題が解決でき効果が上げられる。
【００１２】
【図面の簡単な説明】
【図１】は本考案の角形、楕円形、略円形の多回数パッケージの、宛名表記と宛先自由変更に関する説明見取り図です。
【図２】は本考案の空きパッケージの回送。まとめ回送の荷造りとバンド掛けと設錠に関する説明見取り図です。
【符号の説明】
（１）は蓋　▲１▼は受け取り人。表示　▲２▼は送り人。表示
▲３▼は蓋の折り畳み線　　▲４▼は伝票など添い物入れ
（２）は箱　イ．は受取人の宛名　　ロ．は送り人の宛名
ハ．は顧客個人番号
（３）は楕円形と略円形
（４）空きパッケージ平面図
▲２▼、▲３▼、▲４▼、▲５▼、四個の空き箱
イ．ロ．ハ．ニ．の四個の蓋
（５）荷造り完了見取り図
▲１▼荷造りバンド
【図１】
0003097353.tif 000003
【図２】
0003097353.tif 000004
【手続補正書】
【提出日】平成15年5月6日(2003.5.6)
【手続補正１】
【補正対象書類名】明細書
【補正対象項目名】実用新案登録請求の範囲
【補正方法】変更
【補正の内容】
【実用新案登録請求の範囲】
【請求項１】
焼き印や消えないインクにより包装容器部の一面に受取人の住所氏名符号を容器の対面に送り人の住所氏名符号を表記し、その容器の住所氏名符号表記位置に合わせ上になる位置の上蓋の一面に、受取人、蓋の対面の容器の住所氏名符号表記位置に合わせ上になる位置に送り人の表記をした、蓋
の締め方により多回数往復使用できるパッケージ。
【請求項２】
包装容器に内容表示入れポケットを付け容器と蓋の固定は弾力パッキンをそえ、多回数締め外し容易な専用バンドを用い錠を設置した多回数往復使
用パッケージ。
【請求項３】
空のパッケージは蓋の部分を容器内に格納できるサイズに折り畳み式とし
た多回数往復使用パッケージ。